(57)【要約】【課題】半田付け作業などを行うことなく、配線と端子部材とを容易に接続することが可能な照明装置を提供する。【解決手段】このＬＥＤ電球１００（照明装置）は、ＬＥＤ素子６ａと、ＬＥＤ素子６ａに電力を供給するための電源配線９４と、ソケットに電気的に接続されるソケット接続部５とを備える。ソケット接続部５は、端子用穴部５２ｂを有する端子固定部５０と、端子固定部５０の端子用穴部５２ｂに挿入された状態で、電源配線９４と接続される端子部材５３とを含む。電源配線９４は、端子固定部５０と端子部材５３とに挟持されている。【選択図】図６
2014007146.tif 000002
【特許請求の範囲】
【請求項１】
発光素子と、
前記発光素子に電力を供給するための配線と、
ソケットに電気的に接続されるソケット接続部とを備え、
前記ソケット接続部は、端子用穴部を有する端子固定部と、前記端子固定部の端子用穴部に挿入された状態で、前記配線と接続される端子部材とを含み、
前記配線は、前記端子固定部と前記端子部材とに挟持されている、照明装置。
【請求項２】
前記端子用穴部の内面には、前記端子用穴部の中心からの距離が他の部分よりも大きい配線配置部が形成されており、
前記配線は、前記配線配置部に配置された状態で、前記端子固定部と前記端子部材とに挟持されている、請求項１に記載の照明装置。
【請求項３】
前記端子用穴部は、前記端子固定部の略中央部に形成されており、
前記配線は、前記端子用穴部に挿入されるとともに、前記端子用穴部の開口縁部に沿って折り曲げられた折り曲げ部を含み、
前記折り曲げ部は、前記端子用穴部の開口縁部と前記端子部材とに挟持されている、請求項１または２に記載の照明装置。
【請求項４】
前記端子固定部は、前記端子用穴部の周囲に形成された配線通過穴部をさらに有し、
前記配線が、前記端子用穴部および前記配線通過穴部のいずれか一方を通過した後に、折り曲げられて前記端子用穴部および前記配線通過穴部のいずれか他方に挿入された状態で、前記折り曲げ部が前記開口縁部と前記端子部材とに挟持されている、請求項３に記載の照明装置。
【請求項５】
前記端子用穴部の内面には、前記端子用穴部の延びる方向に沿って複数の凸部が形成され、前記複数の凸部の間には、凹部が形成されており、
前記凹部に前記配線が収容されている、請求項３または４に記載の照明装置。
【請求項６】
前記凹部の高さは、前記配線の直径よりも低い、請求項５に記載の照明装置。
【請求項７】
前記端子部材は、前記端子用穴部に挿入され、前記端子用穴部内において前記配線と接触する軸部と、前記軸部の端部に形成された頭部とを有し、
前記折り曲げ部は、前記端子用穴部の開口縁部と前記端子部材の頭部とに挟持されており、
前記端子固定部は、前記軸部が前記端子用穴部に挿入された状態で、前記頭部の外周部が嵌まり込む嵌合部をさらに有する、請求項３〜６のいずれか１項に記載の照明装置。
【請求項８】
前記軸部には、前記軸部が軸方向に抜けることを抑制するための抜け止め部が形成されている、請求項７に記載の照明装置。
【請求項９】
前記配線通過穴部は、前記端子用穴部の周囲に複数形成されている、請求項３〜８のいずれか１項に記載の照明装置。
【請求項１０】
前記端子部材は、前記配線が挿入される配線収納部を有するとともに、前記端子固定部の前記端子用穴部に挿入された状態で、前記配線収納部に挿入された前記配線と電気的に接続されている、請求項１または２に記載の照明装置。
【請求項１１】
前記端子部材は、前記配線収納部が形成され、前記端子用穴部に挿入される軸部をさらに有し、
前記配線収納部は、前記軸部の延びる方向と交差する方向に前記軸部を貫通するように延びている、請求項１０に記載の照明装置。
【請求項１２】
前記配線は、前記軸部を貫通する前記配線収納部の一方開口側と前記配線収納部の他方開口側との両方において前記端子部材の外周と接触することによって、前記配線と前記端子部材とが電気的に接続されている、請求項１１に記載の照明装置。
【請求項１３】
前記配線は、前記軸部を貫通する前記配線収納部を通過するように配置されており、
前記配線は、前記配線収納部の内面に接触している、請求項１１または１２に記載の照明装置。
【請求項１４】
前記軸部には、前記軸部が軸方向に抜けることを抑制するための抜け止め部が形成されている、請求項１１〜１３のいずれか１項に記載の照明装置。
【請求項１５】
前記端子用穴部の内面には、前記端子用穴部の延びる方向に沿って複数の凸部が形成され、前記複数の凸部の間には、凹部が形成されており、
前記凹部に前記配線が収容されている、請求項１０〜１４のいずれか１項に記載の照明装置。
【請求項１６】
前記端子部材は、前記配線収納部が形成され、前記端子用穴部に挿入される軸部と、前記軸部の端部に形成された頭部とをさらに有し、
前記端子固定部は、前記軸部が前記端子用穴部に挿入された状態で、前記頭部の外周部が嵌まり込む嵌合部をさらに有する、請求項１０〜１５のいずれか１項に記載の照明装置。
【発明の詳細な説明】
【技術分野】
【０００１】
この発明は、照明装置に関し、特に、配線と電気的に接続される端子部材を備える照明装置に関する。
【背景技術】
【０００２】
従来、配線と電気的に接続される端子部材を備える照明装置などが知られている（たとえば、特許文献１参照）。
【０００３】
上記特許文献１には、複数のＬＥＤ（発光素子）が搭載されるドライバープリント基板と、ドライバープリント基板から延びる電線（配線）と、電線に接続される後部端子（端子部材）を含み、ネジ式ソケットにネジ止めされるネジ式ベース（ソケット接続部）とを備えるＬＥＤ照明器具が開示されている。このＬＥＤ照明器具では、電線が後部端子に半田付けされることによって、電線と後部端子とが電気的に接続されている。
【先行技術文献】
【特許文献】
【０００４】
【特許文献１】特開２０１１−１９８７４１号公報
【発明の概要】
【発明が解決しようとする課題】
【０００５】
しかしながら、上記特許文献１に記載されたＬＥＤ照明器具では、電線と後部端子とを半田付けする必要があるため、半田付け作業が加わる分、電線と後部端子とを接続するのに手間がかかるという問題がある。
【０００６】
この発明は、上記のような課題を解決するためになされたものであり、この発明の１つの目的は、半田付け作業などを行うことなく、配線と端子部材とを容易に接続することが可能な照明装置を提供することである。
【課題を解決するための手段】
【０００７】
この発明の一の局面による照明装置は、発光素子と、発光素子に電力を供給するための配線と、ソケットに電気的に接続されるソケット接続部とを備え、ソケット接続部は、端子用穴部を有する端子固定部と、端子固定部の端子用穴部に挿入された状態で、配線と接続される端子部材とを含み、配線は、端子固定部と端子部材とに挟持されている。
【０００８】
この発明の一の局面による照明装置では、上記のように、配線が端子固定部と端子部材とに挟持されることによって、配線を端子固定部と端子部材とに挟持した状態で、配線と端子部材との接続を図ることができる。これにより、半田付け作業などを行う必要がないので、配線と端子部材とを簡便な方法で容易に接続することができる。
【０００９】
上記一の局面による照明装置において、好ましくは、端子用穴部の内面には、端子用穴部の中心からの距離が他の部分よりも大きい配線配置部が形成されており、配線は、配線配置部に配置された状態で、端子固定部と端子部材とに挟持されている。このように構成すれば、配線を端子用穴部の配線配置部に配置することによって、端子用穴部に配置された配線を挟持しつつ、端子用穴部の配線配置部以外の部分と端子部材とを容易に当接させることができるので、端子固定部と端子部材とにより電源配線が挟持された状態を、容易に維持することができる。
【００１０】
上記一の局面による照明装置において、好ましくは、端子用穴部は、端子固定部の略中央部に形成されており、配線は、端子用穴部に挿入されるとともに、端子用穴部の開口縁部に沿って折り曲げられた折り曲げ部を含み、折り曲げ部は、端子用穴部の開口縁部と端子部材とに挟持されている。このように構成すれば、配線の折り曲げ部と端子部材との接触が不十分になることを抑制することができるので、配線と端子部材との電気的な接続を確実に図ることができる。また、半田付け作業などを行う必要がないので、配線と端子部材とを簡便な方法で容易に電気的に接続することができる。
【００１１】
上記折り曲げ部が端子用穴部の開口縁部と端子部材とに挟持されている照明装置において、好ましくは、端子固定部は、端子用穴部の周囲に形成された配線通過穴部をさらに有し、配線が、端子用穴部および配線通過穴部のいずれか一方を通過した後に、折り曲げられて端子用穴部および配線通過穴部のいずれか他方に挿入された状態で、折り曲げ部が開口縁部と端子部材とに挟持されている。このように構成すれば、配線の折り曲げ部を開口縁部に確実に配置することができるので、配線の折り曲げ部と端子部材との接触が不十分になることをより抑制することができる。
【００１２】
上記折り曲げ部が端子用穴部の開口縁部と端子部材とに挟持されている照明装置において、好ましくは、端子用穴部の内面には、端子用穴部の延びる方向に沿って複数の凸部が形成され、複数の凸部の間には、凹部が形成されており、凹部に配線が収容されている。このように構成すれば、配線を凹部に収容することにより、端子用穴部内に配置された配線に起因して端子用穴部への端子部材の挿入が不十分な状態になることを抑制することができる。
【００１３】
上記凹部に配線が収容されている照明装置において、好ましくは、凹部の高さは、配線の直径よりも低い。このように構成すれば、凹部に収容された配線と端子用穴部に挿入される端子部材との導通を確実なものとすることができる。
【００１４】
上記折り曲げ部が端子用穴部の開口縁部と端子部材とに挟持されている照明装置において、好ましくは、端子部材は、端子用穴部に挿入され、端子用穴部内において配線と接触する軸部と、軸部の端部に形成された頭部とを有し、折り曲げ部は、端子用穴部の開口縁部と端子部材の頭部とに挟持されており、端子固定部は、軸部が端子用穴部に挿入された状態で、頭部の外周部が嵌まり込む嵌合部をさらに有する。このように構成すれば、軸部と頭部との両方で配線と端子部材との接続を確保することができるので、配線と端子部材との導通をより確実なものとすることができる。また、嵌合部により、軸部が端子用穴部に挿入された状態で頭部を端子固定部に固定することができるので、端子部材が端子固定部から抜けることをより抑制することができる。これにより、配線と端子部材との接続状態を維持することができる。
【００１５】
上記折り曲げ部が開口縁部と頭部とに挟持されている照明装置において、好ましくは、軸部には、軸部が軸方向に抜けることを抑制するための抜け止め部が形成されている。このように構成すれば、抜け止め部により、端子部材が端子固定部から抜けることを抑制することができるので、配線と端子部材との接続状態を維持することができる。
【００１６】
上記折り曲げ部が端子用穴部の開口縁部と端子部材とに挟持されている照明装置において、好ましくは、配線通過穴部は、端子用穴部の周囲に複数形成されている。このように構成すれば、端子固定部の１箇所にのみ配線通過穴部が設けられている場合と比べて、複数形成された配線通過穴部のいずれかに配線を容易に通過させるかまたは挿入することができる。
【００１７】
上記一の局面による照明装置において、好ましくは、端子部材は、配線が挿入される配線収納部を有するとともに、端子固定部の端子用穴部に挿入された状態で、配線収納部に挿入された配線と電気的に接続されている。このように構成すれば、配線を配線収納部に挿入して配線を端子部材に係止させた状態で、配線と端子用穴部に挿入された端子部材との電気的な接続を図ることができる。これにより、半田付け作業などを行う必要がないので、配線と端子部材とを簡便な方法で容易に接続することができる。
【００１８】
上記端子部材が配線収納部に挿入された配線と接続される照明装置において、好ましくは、端子部材は、配線収納部が形成され、端子用穴部に挿入される軸部をさらに有し、配線収納部は、軸部の延びる方向と交差する方向に軸部を貫通するように延びている。このように構成すれば、軸部に対して交差する方向に延びる配線収納部に配線を確実に係止させることができる。また、配線収納部が軸部を貫通するように延びることによって、たとえば、軸部を貫通する配線収納部を通過するように配線を配置する際に、配線収納部内に配置された配線の全体において配線を配線収納部に係止させることができる。これにより、軸部を貫通する配線収納部の途中まで配線が挿入されている場合よりも、配線を配線収納部により確実に係止させることができる。
【００１９】
上記配線収納部が軸部を貫通するように延びる照明装置において、好ましくは、配線は、軸部を貫通する配線収納部の一方開口側と配線収納部の他方開口側との両方において端子部材の外周と接触することによって、配線と端子部材とが電気的に接続されている。このように構成すれば、配線と端子部材との接続状態を配線収納部の一方開口側と配線収納部の他方開口側との両方において確保することができるので、配線と端子部材との接続状態をより確実に維持することができる。
【００２０】
上記配線収納部が軸部を貫通するように延びる照明装置において、好ましくは、配線は、軸部を貫通する配線収納部を通過するように配置されており、配線は、配線収納部の内面に接触している。このように構成すれば、配線収納部内においても配線と端子部材とを接続することができるので、配線と端子部材との接続状態をより確実に維持することができる。
【００２１】
上記配線収納部が軸部を貫通するように延びる照明装置において、好ましくは、軸部には、軸部が軸方向に抜けることを抑制するための抜け止め部が形成されている。このように構成すれば、抜け止め部により、端子部材が端子固定部から軸方向に抜けることを抑制することができるので、配線と端子部材との接続状態を維持することができる。
【００２２】
上記端子部材が配線収納部に挿入された配線と接続される照明装置において、好ましくは、端子用穴部の内面には、端子用穴部の延びる方向に沿って複数の凸部が形成され、複数の凸部の間には、凹部が形成されており、凹部に配線が収容されている。このように構成すれば、配線を凹部に収容することにより、端子用穴部内に配置された配線に起因して端子収納部への端子部材の挿入が不十分な状態になることを抑制することができる。
【００２３】
上記端子部材が配線収納部に挿入された配線と接続される照明装置において、好ましくは、端子部材は、配線収納部が形成され、端子収納部に挿入される軸部と、軸部の端部に形成された頭部とをさらに有し、端子固定部は、軸部が端子収納部に挿入された状態で、頭部の外周部が嵌まり込む嵌合部をさらに有する。このように構成すれば、嵌合部により、軸部が端子収納部に挿入された状態で頭部を端子固定部に固定することができるので、端子部材が端子固定部から抜けることを抑制することができる。これにより、配線と端子部材との接続状態を維持することができる。
【発明の効果】
【００２４】
本発明によれば、上記のように、半田付け作業などを行うことなく、配線と端子部材とを簡便な方法で容易に接続することができる。
【図面の簡単な説明】
【００２５】
【図１】本発明の第１実施形態によるＬＥＤ電球の全体の構成を示した正面図である。
【図２】本発明の第１実施形態によるＬＥＤ電球の全体の構成を示した分解斜視図である。
【図３】本発明の第１実施形態によるＬＥＤ電球におけるソケット接続部を示した斜視図である。
【図４】本発明の第１実施形態によるＬＥＤ電球におけるソケット接続部を端子部材の頭部を除いた状態で下方から見た平面図である。
【図５】本発明の第１実施形態によるＬＥＤ電球におけるソケット接続部を上方から見た平面図である。
【図６】図４および図５の２０−２０線に沿った端子固定部周辺の拡大断面図である。
【図７】本発明の第１実施形態によるＬＥＤ電球における端子固定部を示した斜視図である。
【図８】本発明の第１実施形態によるＬＥＤ電球における端子部材を示した斜視図である。
【図９】本発明の第１実施形態によるＬＥＤ電球におけるソケット接続部を示した分解斜視図である。
【図１０】本発明の第２施形態によるＬＥＤ電球の全体の構成を示した分解斜視図である。
【図１１】本発明の第２実施形態によるＬＥＤ電球におけるソケット接続部を示した斜視図である。
【図１２】本発明の第２実施形態によるＬＥＤ電球におけるソケット接続部を端子部材の頭部を除いた状態で下方から見た平面図である。
【図１３】図１２の２１−２１線に沿った端子固定部周辺の拡大断面図である。
【図１４】図１３の２２−２２線に沿った端子固定部周辺の拡大断面図である。
【図１５】本発明の第２実施形態によるＬＥＤ電球における端子固定部を示した斜視図である。
【図１６】本発明の第２実施形態によるＬＥＤ電球における端子部材を示した斜視図である。
【図１７】本発明の第１実施形態の第１変形例による端子固定部を示した平面図である。
【図１８】本発明の第１実施形態の第２変形例による端子固定部周辺の拡大断面図である。
【発明を実施するための形態】
【００２６】
以下、本発明の実施形態を図面に基づいて説明する。
【００２７】
（第１実施形態）
まず、図１〜図９を参照して、本発明の第１実施形態によるＬＥＤ電球１００の構造について説明する。なお、ＬＥＤ電球１００は、本発明の「照明装置」の一例である。
【００２８】
本発明の第１実施形態によるＬＥＤ電球１００は、図１に示すように、半球状のカバーレンズ１と、ヒートシンク２と、筒状筐体３と、下キャップ部４と、ソケット接続部５とを備えている。
【００２９】
また、図２に示すように、ヒートシンク２に囲まれる領域内には、４つのＬＥＤ素子６ａを各々含む６つの発光部６と、発光部６が配置されたＬＥＤ用基板７と、ＬＥＤ用基板７が載置される放熱部材８と、電子部品９ａが実装された回路基板９と、上キャップ部１０とが配置されている。なお、ＬＥＤ素子６ａは、本発明の「発光素子」の一例である。
【００３０】
カバーレンズ１は、樹脂材からなるとともに、ドーム状に形成されている。このカバーレンズ１は、光拡散材を含み、発光部６から放射される光を拡散させながら透光可能なように構成されている。また、カバーレンズ１は、ヒートシンク２に嵌合可能に構成されている。
【００３１】
ヒートシンク２は、熱伝導性に優れた金属材からなり、ＬＥＤ素子６ａの熱を放熱する機能を有している。また、ヒートシンク２は、上方（Ｚ１側）から下方（Ｚ２側）に向かって直径が小さくなる円筒状に形成されている。また、ヒートシンク２は、外気との接触面積を大きくして放熱性能を向上させるための格子部２ａと、ヒートシンク２の上部の内面側に形成された周状の段差部２ｂとを含んでいる。
【００３２】
回路基板９は、Ｚ方向に延びる板状に形成されている。また、回路基板９の上部（Ｚ１側）には、上方に向かって延びるＬＥＤ配線９１および９２が接続されている。また、回路基板９の下部（Ｚ２側）には、下方に向かって延びる電源配線９３および９４が接続されている。ＬＥＤ配線９１および９２および電源配線９３および９４は、ＬＥＤ素子６ａに電力を供給するために設けられている。なお、電源配線９４は、本発明の「配線」の一例である。
【００３３】
また、電源配線９３および９４は、それぞれ、配線材９３ａおよび９４ａと、配線材９３ａおよび９４ａをそれぞれ覆う被覆部９３ｂおよび９４ｂとを有している。また、配線材９３ａおよび９４ａは、それぞれ、電源配線９３および９４の両端部近傍において被覆部９３ｂおよび９４ｂから露出している。また、配線材９３ａおよび９４ａは、約０．１ｍｍの直径ｄ１（図６参照）を有している。
【００３４】
筒状筐体３は、筒状に形成されており、上キャップ部１０が上方（Ｚ１側）から嵌まり込むように形成されている。これにより、筒状筐体３の上側の開口は、上キャップ部１０によって覆われている。また、筒状筐体３は、回路基板９を内部で固定可能なように構成されている。
【００３５】
また、筒状筐体３の下部には、ソケット接続部５が螺合されるネジ部３１と、ネジ部３１が形成されている位置に形成され、筒状筐体３を貫通する配線穴部３２とが形成されている。配線穴部３２は、回路基板９から延びる電源配線９３の配線材９３ａが、筒状筐体３の内側から外側へ貫通するために設けられている。これにより、電源配線９３の配線材９３ａと、ネジ部３１に螺合されるソケット接続部５の内面とが接触することによって、電源配線９３とソケット接続部５とが電気的に接続されるように構成されている。
【００３６】
下キャップ部４は、筒状筐体３の移動を規制するように、ヒートシンク２の下端に配置されている。
【００３７】
ソケット接続部５は、図３〜図６に示すように、筒状のソケット接続部本体５１およびソケット接続部本体５１の下部（Ｚ２側）に取り付けられた端子固定部分５２を有する端子固定部５０と、端子固定部分５２に嵌め込まれる端子部材５３とを含んでいる。ソケット接続部本体５１は、電気伝導性を有する金属材からなる。また、ソケット接続部本体５１は、図７に示すように、筒状筐体３のネジ部３１（図２参照）に螺合された状態で、図示しないソケット（電球受口）の雌ネジ部に螺合するネジ部５１ａを有している。
【００３８】
図８に示すように、端子部材５３は、電気伝導性を有する金属材からなる。また、端子部材５３は、上下方向（Ｚ方向）に延びる円柱状の軸部５３ａと、軸部５３ａのＺ２側の端部に形成され、軸部５３ａの直径Ｄ１（図６参照）よりも大きな直径を有する頭部５３ｂとを有している。軸部５３ａには、ネジ溝１５３ａが軸部５３ａの外周の略全体に亘って形成されている。また、頭部５３ｂの下側（Ｚ２側）は若干Ｚ２方向に膨らんだドーム状に形成されているとともに、頭部５３ｂの上側（Ｚ１側）には平坦面状の平面部１５３ｂが形成されている。なお、ネジ溝１５３ａは、本発明の「抜け止め部」の一例である。
【００３９】
図３に示すように、端子固定部分５２は、絶縁性を有する樹脂部材からなり、ソケット接続部本体５１と端子部材５３とを絶縁する機能を有している。また、端子固定部分５２の下面（Ｚ２側の面）には、端子部材５３の頭部５３ｂよりも若干大きい直径を有する円形状の嵌合部５２ａが形成されている。この嵌合部５２ａは、図７に示すように、端子固定部分５２の下面よりも若干Ｚ１側に窪むように形成されている。
【００４０】
また、図４および図５に示すように、端子固定部分５２の嵌合部５２ａに囲まれた領域には、嵌合部５２ａの略中央部に形成された端子用穴部５２ｂと、端子用穴部５２ｂの周囲を取り囲むように形成された一対の配線穴部５２ｃおよび一対の配線穴部５２ｄとが設けられている。一対の配線穴部５２ｃは、端子用穴部５２ｂをＸ方向に挟み込むように形成されているとともに、一対の配線穴部５２ｄは、端子用穴部５２ｂをＹ方向に挟み込むように形成されている。なお、配線穴部５２ｃおよび５２ｄは、本発明の「配線通過穴部」の一例である。
【００４１】
端子用穴部５２ｂは、図４〜図６に示すように、端子部材５３の軸部５３ａの直径ｄ２と略同一の直径Ｄ１を有する円形状に形成されているとともに、Ｚ方向（図６参照）に一様に延びるように形成されている。これにより、端子部材５３の軸部５３ａが端子用穴部５２ｂに挿入された際に、端子部材５３のネジ溝１５３ａが端子用穴部５２ｂの内面に食い込むことによって、端子部材５３の軸部５３ａが端子用穴部５２ｂに嵌まり込むように構成されている。さらに、図６に示すように、端子部材５３の軸部５３ａが端子用穴部５２ｂに挿入された際に、端子部材５３の頭部５３ｂの外周部２５３ｂが嵌合部５２ａに嵌まり込んだ状態で固定されるように構成されている。この結果、端子部材５３のネジ溝１５３ａおよび端子固定部分５２の嵌合部５２ａは、軸部５３ａの軸方向（Ｚ２側）に端子部材５３が端子固定部分５２から抜けることを抑制する機能を有している。
【００４２】
また、図４および図５に示すように、端子用穴部５２ｂの内面には、８つの溝部１５２ｂが等角度間隔で形成されている。この８つの溝部１５２ｂは、８つの辺部２５２ｂの間にそれぞれ位置するように形成されている。また、８つの溝部１５２ｂおよび８つの辺部２５２ｂは、端子用穴部５２ｂの延びる方向に沿ってＺ方向（図６参照）に延びるように形成されている。また、８つの溝部１５２ｂのいずれか１つに、電源配線９４の一部が収容されるように構成されている。なお、溝部１５２ｂは、本発明の「凹部」および「配線配置部」の一例であり、辺部２５２ｂは、本発明の「凸部」の一例である。
【００４３】
また、図６に示すように、平面的に見て、端子用穴部５２ｂの中心Ｏと８つの溝部１５２ｂとの距離Ｌ１は、端子用穴部５２ｂの中心Ｏと８つの辺部２５２ｂとの距離Ｌ２よりも大きい。また、溝部１５２ｂの底部から辺部２５２ｂまでの長さ（高さ）Ｌ３は、電源配線９４の配線材９４ａの直径ｄ１よりも低い（小さい）。
【００４４】
配線穴部５２ｃは、直径方向（端子用穴部５２ｂの中心Ｏに向かう方向）よりも円周方向（端子用穴部５２ｂの中心Ｏを中心とする円周上の方向）に長い長円形状に形成されている。また、配線穴部５２ｄは、配線穴部５２ｃよりも円周方向の長さが小さい長円形状に形成されている。また、端子用穴部５２ｂ内には、端子部材５３の軸部５３ａと電源配線９４とが配置されているとともに、一対の配線穴部５２ｃのうちの一方の配線穴部５２ｃには、電源配線９４が配置されている。
【００４５】
また、図６に示すように、配線穴部５２ｃの内側側面１５２ｃおよび配線穴部５２ｄの内側側面１５２ｄは、Ｚ方向に一様に延びるように形成されている。一方、配線穴部５２ｃの外側側面２５２ｃおよび配線穴部５２ｄの外側側面２５２ｄは、それぞれ、上方（Ｚ１側）から下方（Ｚ２側）に向かって、内側側面１５２ｃおよび１５２ｄに徐々に近づくように傾斜している。これにより、配線穴部５２ｃおよび５２ｄの直径方向の幅は、Ｚ１側からＺ２側に向かって小さくなるように形成されている。この結果、電源配線９４を配線穴部５２ｃまたは５２ｄにＺ１側からＺ２側に向かって通過させる際に、配線穴部５２ｃの外側側面２５２ｃまたは配線穴部５２ｄの外側側面２５２ｄにより電源配線９４がガイドされるので、容易に、配線穴部５２ｃまたは５２ｄに電源配線９４を通過させることが可能である。
【００４６】
ここで、第１実施形態では、回路基板９（図２参照）からＺ２側に延びる電源配線９４は、配線穴部５２ｃをＺ１側からＺ２側に通過するように配置されている。そして、図９に示すように、配線穴部５２ｃを通過した電源配線９４の配線材９４ａが、端子用穴部５２ｂの開口縁部Ａの開口面に沿って折り曲げられることによって、配線材９４ａに折り曲げ部１９４ａが形成されている。また、折り曲げ部１９４ａよりも端部側の配線材９４ａは、端子用穴部５２ｂにＺ２側からＺ１側に挿入されている。また、配線材９４ａの折り曲げ部１９４ａは、端子用穴部５２ｂと配線穴部５２ｃとの間に位置する端子固定部分５２の開口縁部Ａに係止されている。
【００４７】
これにより、端子部材５３の軸部５３ａが端子用穴部５２ｂに挿入された状態で、一部が端子用穴部５２ｂの溝部１５２ｂに収容された電源配線９４の配線材９４ａと、端子部材５３の軸部５３ａの外周に形成されたネジ溝１５３ａとが端子用穴部５２ｂの内面において接触した状態で、電源配線９４の配線材９４ａが、端子固定部分５２（端子固定部５０）と端子部材５３とに挟持される。この結果、端子部材５３と電源配線９４とが電気的に接続される。同時に、配線材９４ａの折り曲げ部１９４ａが、端子固定部分５２の開口縁部Ａと端子部材５３の頭部５３ｂの平面部１５３ｂとに挟持されることにより、端子部材５３と電源配線９４とが電気的に接続される。
【００４８】
６つの発光部６は、図２に示すように、電球型ＬＥＤ照明の光源を構成する４つのＬＥＤ素子６ａ（一点鎖線）と、４つのＬＥＤ素子６ａを覆う蛍光体部材６ｂとを含んでいる。蛍光体部材６ｂは、ＬＥＤ素子６ａから放射される光を受けて蛍光を放つように構成されている。
【００４９】
ＬＥＤ用基板７は、略中央に形成され、ＬＥＤ配線９１および９２が貫通する配線穴部７ａを有している。また、ＬＥＤ用基板７の上面７ｂには、６つの発光部６と、ＬＥＤ配線９１および９２がそれぞれ接続される一対のランド７ｃとが配置されている。なお、ＬＥＤ用基板７は、熱伝導性に優れたガラス系基板からなる。
【００５０】
放熱部材８は、略中央に形成され、ＬＥＤ用基板７の配線穴部７ａと重なるように形成された配線穴部８ａを有している。また、上キャップ部１０は、略中央に形成され、配線穴部７ａおよび８ａと重なるように形成された配線穴部１０ａを有している。これにより、配線穴部７ａ、８ａおよび１０ａを貫通したＬＥＤ配線９１および９２と、一対のランド７ｃとを介して、ＬＥＤ用基板７と回路基板９とが電気的に接続されている。
【００５１】
また、放熱部材８は、熱伝導性に優れた金属材からなり、円盤状に形成されている。この放熱部材８は、上面にＬＥＤ用基板７が配置されるように構成されている。また、放熱部材８は、側面および下面の一部がヒートシンク２と接触した状態でヒートシンク２の段差部２ｂ上に配置されている。これにより、ＬＥＤ用基板７を介して伝わったＬＥＤ素子６ａの熱をヒートシンク２に迅速に伝えることが可能に構成されている。
【００５２】
回路基板９は、電源配線９３および９４を介して図示しないソケットから供給される交流を直流に変換するとともに、ＬＥＤ配線９１および９２を介してＬＥＤ用基板７に定電流を供給する機能などを有している。
【００５３】
第１実施形態では、上記のように、電源配線９４の配線材９４ａを、端子固定部分５２（端子固定部５０）と端子部材５３とで挟持することによって、電源配線９４を端子固定部５０と端子部材５３とに挟持した状態で、電源配線９４と端子部材５３との接続を図ることができる。これにより、半田付け作業などを行う必要がないので、電源配線９４と端子部材５３とを簡便な方法で容易に接続することができる。
【００５４】
また、第１実施形態では、上記のように、端子用穴部５２ｂの中心Ｏと８つの溝部１５２ｂとの距離Ｌ１を、端子用穴部５２ｂの中心Ｏと８つの辺部２５２ｂとの距離Ｌ２よりも大きくするとともに、溝部１５２ｂに収容された電源配線９４の配線材９４ａを、端子固定部分５２（端子固定部５０）と端子部材５３とで挟持するように構成する。これにより、電源配線９４を端子用穴部５２ｂの溝部１５２ｂに配置することによって、端子用穴部５２ｂに配置された電源配線９４を挟持しつつ、端子用穴部５２ｂの溝部１５２ｂ以外の辺部２５２ｂと端子部材５３とを容易に当接させることができるので、端子固定部５０と端子部材５３とにより電源配線９４が挟持された状態を、容易に維持することができる。
【００５５】
また、第１実施形態では、上記のように、電源配線９４の折り曲げ部１９４ａが、開口縁部Ａと端子部材５３の頭部５３ｂの平面部１５３ｂとに挟持されることにより、端子部材５３と電源配線９４とが電気的に接続されることによって、電源配線９４の折り曲げ部１９４ａと端子部材５３との接触が不十分になることを抑制することができる。これにより、電源配線９４と端子部材５３との電気的な接続を確実に図ることができる。また、半田付け作業などを行う必要がないので、電源配線９４と端子部材５３とを簡便な方法で容易に電気的に接続することができる。
【００５６】
また、第１実施形態では、上記のように、電源配線９４を、端子固定部分５２（端子固定部５０）の配線穴部５２ｃをＺ１側からＺ２側に通過するように配置する。そして、配線穴部５２ｃを通過した電源配線９４の配線材９４ａを折り曲げて折り曲げ部１９４ａを形成し、折り曲げ部１９４ａよりも端部側の配線材９４ａを、端子用穴部５２ｂにＺ２側からＺ１側に挿入する。これにより、端子部材５３の軸部５３ａが端子用穴部５２ｂに挿入された状態で、端子部材５３と電源配線９４とが電気的に接続されるように構成することによって、電源配線９４の折り曲げ部１９４ａを開口縁部Ａに確実に配置することができるので、電源配線９４の折り曲げ部１９４ａと端子部材５３との接触が不十分になることをより抑制することができる。
【００５７】
また、第１実施形態では、上記のように、端子用穴部５２ｂを円形状に形成することによって、円形状に形成された端子用穴部５２ｂに挿入される端子部材５３の軸部５３ａを複雑な形状にする必要がない。
【００５８】
また、第１実施形態では、上記のように、配線穴部５２ｃおよび５２ｄを、直径方向よりも円周方向に長い扇状の長円形状に形成することによって、端子固定部分５２（端子固定部５０）の嵌合部５２ａに囲まれた領域のうちの端子用穴部５２ｂ以外の領域において、配線穴部５２ｃおよび５２ｄの開口面積を極力確保することができる。これにより、配線穴部５２ｃおよび５２ｄの開口面積を大きくすることができるので、配線穴部５２ｃまたは５２ｄに電源配線９４を容易に通過させるかまたは挿入することができる。
【００５９】
また、第１実施形態では、上記のように、端子用穴部５２ｂの内面に、端子用穴部５２ｂの延びる方向に沿ってＺ方向に延びるとともに、電源配線９４の一部が収容される溝部１５２ｂを形成することによって、溝部１５２ｂに電源配線９４の一部を収容することにより、端子用穴部５２ｂ内に配置された電源配線９４に起因して端子用穴部５２ｂへの端子部材５３の挿入が不十分な状態になることを抑制することができるとともに、端子用穴部５２ｂに端子部材５３の軸部５３ａを挿入する際に、電源配線９４がＺ方向に押し出されにくくすることができる。
【００６０】
また、第１実施形態では、上記のように、一部が端子用穴部５２ｂの溝部１５２ｂに収容された電源配線９４の配線材９４ａと、端子部材５３の軸部５３ａの外周に形成されたネジ溝１５３ａとが端子用穴部５２ｂの内面において接触するように構成することによって、電源配線９４と端子部材５３との電気的接続を図りつつ、溝部１５２ｂに電源配線９４を確実に収容することができる。
【００６１】
また、第１実施形態では、上記のように、溝部１５２ｂの底部から辺部２５２ｂまでの長さ（高さ）Ｌ３を、電源配線９４の配線材９４ａの直径ｄ１よりも低くすることによって、溝部１５２ｂに収容された配線材９４ａと端子用穴部５２ｂに挿入される端子部材５３の軸部５３ａとの導通を確実なものとすることができる。
【００６２】
また、第１実施形態では、上記のように、端子部材５３の軸部５３ａが端子用穴部５２ｂに挿入された状態で、電源配線９４の配線材９４ａと、端子部材５３の軸部５３ａの外周に形成されたネジ溝１５３ａとを端子用穴部５２ｂの内面において接触させる。同時に、配線材９４ａの折り曲げ部１９４ａと、端子部材５３の頭部５３ｂの平面部１５３ｂとを嵌合部５２ａにおいて接触させる。このように構成することによって、軸部５３ａと頭部５３ｂとの両方で電源配線９４と端子部材５３との接続を確保することができるので、電源配線９４と端子部材５３との導通をより確実なものとすることができる。
【００６３】
また、第１実施形態では、上記のように、端子部材５３の軸部５３ａが端子用穴部５２ｂに挿入された際に、端子部材５３の頭部５３ｂの外周部２５３ｂが嵌合部５２ａに嵌まり込んだ状態で固定されるように構成することによって、端子部材５３が端子固定部分５２（端子固定部５０）から抜けることをより抑制することができるので、電源配線９４と端子部材５３との接続状態を維持することができる。
【００６４】
また、第１実施形態では、上記のように、端子部材５３の軸部５３ａが端子用穴部５２ｂに挿入された際に、端子部材５３のネジ溝１５３ａが端子用穴部５２ｂの内面に食い込むことによって、端子部材５３の軸部５３ａが端子用穴部５２ｂに嵌まり込むように構成する。このように構成することによって、ネジ溝１５３ａにより、端子部材５３が端子固定部分５２（端子固定部５０）から抜けることを抑制することができるので、電源配線９４と端子部材５３との接続状態を維持することができる。
【００６５】
また、第１実施形態では、上記のように、端子用穴部５２ｂをＸ方向に挟み込むように形成された一対の配線穴部５２ｃと、端子用穴部５２ｂをＹ方向に挟み込むように形成された一対の配線穴部５２ｄとを設けることによって、端子固定部分５２の１箇所にのみ配線穴部５２ｃが設けられている場合と比べて、４つ形成された配線穴部５２ｃおよび５２ｄのうちの１つの配線穴部５２ｃに電源配線９４を容易に通過させるかまたは挿入することができる。
【００６６】
（第２実施形態）
次に、図１および図１０〜図１６を参照して、本発明の第２実施形態によるＬＥＤ電球３００の構造について説明する。この第２実施形態では、上記第１実施形態とは異なり、端子部材３５３に電源配線９４を挿入する場合について説明する。なお、ＬＥＤ電球３００は、本発明の「照明装置」の一例である。
【００６７】
本発明の第２実施形態によるＬＥＤ電球３００は、図１、図１０および図１１に示すように、上記第１実施形態と同様の全体構成を有している。つまり、第２実施形態によるＬＥＤ電球３００は、ソケット接続部３０５を除き、上記第１実施形態と同様のカバーレンズ１、ヒートシンク２、筒状筐体３、下キャップ部４、発光部６、ＬＥＤ用基板７、放熱部材８、回路基板９および上キャップ部１０を有している。このため、上記第１実施形態と同様の構成に関しては記載を省略する。
【００６８】
ソケット接続部３０５は、図１１〜図１３に示すように、筒状のソケット接続部本体５１およびソケット接続部本体５１の下部（Ｚ２側）に取り付けられた端子固定部分３５２を有する端子固定部３５０と、端子固定部分３５２に嵌め込まれる端子部材３５３とを含んでいる。ソケット接続部本体５１は、電気伝導性を有する金属材からなる。また、ソケット接続部本体５１は、筒状筐体３のネジ部３１（図１０参照）に螺合された状態で、図示しないソケット（電球受口）の雌ネジ部に螺合するネジ部５１ａ（図１１参照）を有している。
【００６９】
端子固定部分３５２は、絶縁性を有する樹脂部材（たとえば、ＰＢＴ（ポリブチレンテレフタレート））からなり、ソケット接続部本体５１と端子部材３５３とを絶縁する機能を有している。また、端子固定部分３５２の下面（Ｚ２側）には、円形状の嵌合部３５２ａが形成されている。この嵌合部３５２ａは、図１５に示すように、端子固定部分３５２の下面よりも若干Ｚ１側に窪むように形成されている。
【００７０】
また、図１２および図１４に示すように、端子固定部分３５２の嵌合部３５２ａに囲まれた領域の略中央部には、端子用穴部３５２ｂが設けられている。この端子用穴部３５２ｂは、略正八角形形状に形成されているとともに、Ｚ方向（図１３参照）に一様に延びるように形成されている。これにより、正八角形形状の端子用穴部３５２ｂの内面に形成された８つの角部４５２ｂおよび辺部５５２ｂは、端子用穴部３５２ｂの延びる方向に沿ってＺ方向に延びるように形成されている。この８つの角部４５２ｂは、８つの辺部５５２ｂの間にそれぞれ位置するように形成されている。また、８つの角部４５２ｂの向かい合う一対の角部４５２ｂに電源配線９４が収容されるように構成されている。なお、角部４５２ｂは、本発明の「凹部」および「配線配置部」の一例であり、辺部５５２ｂは、本発明の「凸部」の一例である。
【００７１】
また、図１３に示すように、平面的に見て、端子用穴部３５２ｂの中心Ｏと８つの角部４５２ｂとの距離Ｌ４は、端子用穴部３５２ｂの中心Ｏと８つの辺部５５２ｂとの距離Ｌ５よりも大きい。
【００７２】
端子部材３５３は、電気伝導性を有する金属材からなる。また、端子部材３５３は、図１６に示すように、端子用穴部３５２ｂに挿入される円柱状の軸部３５３ａと、軸部３５３ａのＺ２側の端部に形成され、軸部３５３ａよりも大きな直径を有する頭部３５３ｂとを有している。軸部３５３ａは、上下方向（Ｚ方向）に延びるように形成されている。また、軸部３５３ａには、ネジ溝４５３ａが軸部３５３ａの外周の略全体に亘って形成されている。なお、ネジ溝４５３ａは、本発明の「抜け止め部」の一例である。
【００７３】
また、図１３に示すように、端子部材３５３の軸部３５３ａの直径ｄ３は、正八角形の端子用穴部３５２ｂの向かい合う辺同士の距離Ｄ２と略同一になるように形成されている。これにより、端子部材３５３の軸部３５３ａが正八角形の端子用穴部３５２ｂに挿入された際に、端子部材３５３のネジ溝４５３ａが、端子用穴部３５２ｂの辺部５５２ｂにおける内面に食い込むことによって、端子部材３５３の軸部３５３ａが端子用穴部３５２ｂに嵌まり込むように構成されている。この結果、端子部材３５３のネジ溝４５３ａは、軸部３５３ａの軸方向の下方（Ｚ２側）に端子部材３５３が端子固定部分３５２から抜けることを抑制する機能を有している。また、角部４５２ｂから端子部材３５３の外周（ネジ溝４５３ａ）までの距離Ｌ６は、電源配線９４の配線材９４ａの直径ｄ１よりも小さい。
【００７４】
ここで、第２実施形態では、端子部材３５３の軸部３５３ａには、軸部３５３ａを貫通するように延びる配線収納部３５３ｃが形成されている。この配線収納部３５３ｃは、円柱状の軸部３５３ａの長手方向（Ｚ方向）の略中央に形成されているとともに、約０．５ｍｍの直径を有する円形穴状に形成されている。また、配線収納部３５３ｃは、平面的に見て、軸部３５３ａの中心Ｏを通り、Ｘ方向に延びるように軸部３５３ａを貫通している。つまり、配線収納部３５３ｃは、軸部３５３ａの延びるＺ方向と略直交するＸ方向に延びている。さらに、配線収納部３５３ｃは、８つの角部４５２ｂのうちのＸ方向で向かい合う一対の角部４５２ｂ同士を結ぶように、軸部３５３ａを貫通している。
【００７５】
また、第２実施形態では、図１３に示すように、電源配線９４は、端子部材３５３の軸部３５３ａが端子用穴部３５２ｂに挿入された状態で、配線収納部３５３ｃを通過するように配置されている。具体的には、回路基板９（図１０参照）からＺ２側に延びる電源配線９４は、端子用穴部３５２ｂの８つの角部４５２ｂのＸ１側の角部４５２ｂに収容された状態で、配線収納部３５３ｃが形成された軸部３５３ａのＺ方向の略中央まで延びるように配置されている。この際、配線収納部３５３ｃのＸ１側の開口部４５３ｃにおいて、端子用穴部３５２ｂのＸ１側の角部４５２ｂに収容された電源配線９４の配線材９４ａと、端子部材３５３の軸部３５３ａの外周に形成されたネジ溝４５３ａとが接触した状態で、電源配線９４の配線材９４ａが、端子固定部分３５２（端子固定部３５０）と端子部材３５３とに挟持される。この結果、端子部材３５３と電源配線９４とがＸ１側で電気的に接続される。なお、開口部４５３ｃは、本発明の「一方開口」の一例である。
【００７６】
そして、電源配線９４の配線材９４ａは、配線収納部３５３ｃ近傍において、Ｘ２側に延びるように約９０度折り曲げられる。そして、配線材９４ａは、配線収納部３５３ｃのＸ１側の開口部４５３ｃから挿入されて、配線収納部３５３ｃをＸ方向に通過するように配置されている。この際、配線材９４ａと配線収納部３５３ｃの内面５５３ｃとが接触することにより電気的に接続される。
【００７７】
その後、配線収納部３５３ｃのＸ２側の開口部６５３ｃから引き出された配線材９４ａは、Ｚ２側に延びるように約９０度折り曲げられる。そして、配線材９４ａは、Ｘ２側の角部４５２ｂに収容された状態で、端子部材３５３の頭部３５３ｂに向かってＺ２側に延びるように配置されている。この際、配線収納部３５３ｃのＸ２側の開口部６５３ｃにおいて、端子用穴部３５２ｂのＸ２側の角部４５２ｂに収容された電源配線９４の配線材９４ａと、端子部材３５３のネジ溝４５３ａとが接触した状態で、電源配線９４の配線材９４ａが、端子固定部分３５２（端子固定部３５０）と端子部材３５３とに挟持される。この結果、端子部材３５３と電源配線９４とがＸ２側で電気的に接続される。この結果、端子部材３５３と電源配線９４とは、３箇所において電気的に接続されている。また、この際、配線材９４ａが配線収納部３５３ｃに係止（挟持）されることによって、電源配線９４が端子部材３５３から脱落することが抑制されている。なお、開口部６５３ｃは、本発明の「他方開口」の一例である。
【００７８】
また、図１３に示すように、端子部材３５３の頭部３５３ｂの下側（Ｚ２側）は若干Ｚ２方向に膨らんだドーム状に形成されているとともに、頭部３５３ｂの上側（Ｚ１側）には平坦面状の平面部４５３ｂが形成されている。また、頭部３５３ｂの外周部５５３ｂは、端子固定部分３５２の嵌合部３５２ａよりも若干小さい直径を有するように形成されている。これにより、端子部材３５３の軸部３５３ａが端子用穴部３５２ｂに挿入された際に、端子部材３５３の頭部３５３ｂの外周部５５３ｂは、嵌合部３５２ａに嵌まり込んだ状態で固定されるように構成されている。この結果、端子固定部分３５２の嵌合部３５２ａは、軸部３５３ａの軸方向（Ｚ２側）に端子部材３５３が端子固定部分３５２から抜けることを抑制する機能を有している。
【００７９】
第２実施形態では、上記のように、端子部材３５３のＸ１側およびＸ２側において、電源配線９４の配線材９４ａを、端子固定部分３５２（端子固定部３５０）と端子部材３５３とで挟持することによって、電源配線９４を端子固定部３５０と端子部材３５３とに挟持した状態で、電源配線９４と端子部材３５３との電気的な接続を図ることができる。これにより、半田付け作業などを行う必要がないので、電源配線９４と端子部材３５３とを簡便な方法で容易に接続することができる。
【００８０】
また、第２実施形態では、上記のように、端子用穴部３５２ｂの中心Ｏと８つの角部４５２ｂとの距離Ｌ４を、端子用穴部３５２ｂの中心Ｏと８つの辺部５５２ｂとの距離Ｌ５よりも大きくするとともに、角部４５２ｂに収容された電源配線９４の配線材９４ａを、端子固定部分３５２（端子固定部３５０）と端子部材３５３とで挟持するように構成する。これにより、電源配線９４を端子用穴部３５２ｂの角部４５２ｂに配置することによって、端子用穴部３５２ｂに配置された電源配線９４を挟持しつつ、端子用穴部３５２ｂの角部４５２ｂ以外の辺部５５２と端子部材３５３とを容易に当接させることができるので、端子固定部３５０と端子部材３５３とにより電源配線９４が挟持された状態を、容易に維持することができる。
【００８１】
また、第２実施形態では、上記のように、端子部材３５３の軸部３５３ａが端子用穴部３５２ｂに挿入された状態で、電源配線９４の配線材９４ａが配線収納部３５３ｃを通過するように配置するとともに、配線材９４ａと配線収納部３５３ｃの内面５５３ｃとを接触させて電気的に接続する。このように構成することによって、電源配線９４を配線収納部３５３ｃに挿入させて電源配線９４を端子部材３５３に係止させた状態で、電源配線９４と端子用穴部３５２ｂに挿入された端子部材３５３との電気的な接続を図ることができる。これにより、半田付け作業などを行う必要がないので、電源配線９４と端子部材３５３とを簡便な方法で容易に接続することができる。
【００８２】
また、第２実施形態では、上記のように、配線収納部３５３ｃを、軸部３５３ａの延びるＺ方向と略直交するＸ方向に延びるように形成することによって、軸部３５３ａに対して略直交する方向（Ｘ方向）に延びる配線収納部３５３ｃに電源配線９４を確実に係止させることができる。
【００８３】
また、第２実施形態では、上記のように、配線収納部３５３ｃのＸ１側の開口部４５３ｃにおいて、端子用穴部３５２ｂのＸ１側の角部４５２ｂに収容された電源配線９４の配線材９４ａと、端子部材３５３のネジ溝４５３ａとが接触することにより電気的に接続され、配線材９４ａと配線収納部３５３ｃの内面５５３ｃとが接触することにより電気的に接続されるとともに、配線収納部３５３ｃのＸ２側の開口部６５３ｃにおいて、端子用穴部３５２ｂのＸ２側の角部４５２ｂに収容された配線材９４ａと、端子部材３５３のネジ溝４５３ａとが接触することにより電気的に接続されるように構成する。このように、端子部材３５３と電源配線９４とを３箇所において電気的に接続することによって、電源配線９４と端子部材３５３との接続状態をより確実に維持することができる。
【００８４】
また、第２実施形態では、上記のように、電源配線９４を、端子部材３５３の軸部３５３ａが端子用穴部３５２ｂに挿入された状態で、配線収納部３５３ｃを通過するように配置することによって、配線収納部３５３ｃ内に配置された電源配線９４の全体において電源配線９４を配線収納部３５３ｃに係止させることができるので、軸部３５３ａを貫通する配線収納部３５３ｃの途中まで電源配線９４が挿入されている場合よりも、より確実に、電源配線９４を配線収納部３５３ｃに係止させることができる。
【００８５】
また、第２実施形態では、上記のように、端子部材３５３の軸部３５３ａが端子用穴部３５２ｂに挿入された際に、端子部材３５３のネジ溝４５３ａが端子用穴部３５２ｂの内面に食い込むことによって、端子部材３５３の軸部３５３ａが端子用穴部３５２ｂに嵌まり込むように構成する。このように構成することによって、ネジ溝４５３ａにより、端子部材３５３が端子固定部分３５２から抜けることを抑制することができるので、電源配線９４と端子部材３５３との接続状態を維持することができる。
【００８６】
また、第２実施形態では、上記のように、電源配線９４の配線材９４ａが配置される正八角形形状の端子用穴部３５２ｂの内面に形成された８つの角部４５２ｂを、端子用穴部３５２ｂの延びる方向に沿ってＺ方向に延びるように形成することによって、電源配線９４を角部４５２ｂに収容することにより、端子用穴部３５２ｂ内に配置された電源配線９４に起因して端子用穴部３５２ｂへの端子部材３５３の挿入が不十分な状態になることを抑制することができる。
【００８７】
また、第２実施形態では、上記のように、端子部材３５３の軸部３５３ａが端子用穴部３５２ｂに挿入された際に、端子部材３５３の頭部３５３ｂの外周部５５３ｂが嵌合部３５２ａに嵌まり込んだ状態で固定されるように構成することによって、端子部材３５３が端子固定部分３５２から抜けることを抑制することができるので、電源配線９４と端子部材３５３との接続状態を維持することができる。
【００８８】
また、第２実施形態では、上記のように、配線収納部３５３ｃのＸ２側の開口部６５３ｃから引き出された配線材９４ａを、Ｚ２側に延びるように約９０度折り曲げるように構成する。このように構成することによって、端子部材３５３の軸部３５３ａをＺ１側に向かって端子用穴部３５２ｂに挿入する際に、配線収納部３５３ｃのＸ２側の開口部６５３ｃから引き出された配線材９４ａは、端子用穴部３５２ｂのＺ２側の開口に当接されることにより、Ｚ２側に延びるように約９０度折り曲げられる。この結果、配線材９４ａをＺ１側に折り曲げる場合と異なり、配線収納部３５３ｃのＸ２側の開口部６５３ｃから引き出された配線材９４ａを予め折り曲げる必要がないので、作業工程を簡略化することができる。
【００８９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００９０】
たとえば、上記第１実施形態では、円形状の端子用穴部５２ｂの内面に８つの溝部１５２ｂを設けた例を示したが、本発明はこれに限られない。たとえば、図１７に示す第１実施形態の第１変形例のように、端子固定部７５０の端子固定部分７５２の端子用穴部７５２ｂを円形状に近い正八角形に形成してもよい。この際、８つの辺部８５２ｂの間に形成された８つの角部９５２ｂに電源配線９４（図５参照）の一部が収容されるように構成してもよい。なお、端子用穴部７５２ｂおよび８つの辺部８５２ｂは、それぞれ、本発明の「端子用穴部」および「凸部」の一例である。また、８つの角部９５２ｂは、本発明の「凹部」および「配線配置部」の一例である。また、円形状の端子用穴部の内面に複数の凸部を形成することによって、複数の凸部の間の複数の円弧状の底部を複数の凹部としてもよい。
【００９１】
また、上記第１実施形態では、電源配線９４が配線穴部５２ｃをＺ１側からＺ２側に通過するように配置するとともに、電源配線９４の配線材９４ａを折り曲げて、端子用穴部５２ｂにＺ２側からＺ１側に挿入する例を示したが、本発明はこれに限られない。本発明では、電源配線９４が通過する配線穴部５２ｃと電源配線９４が挿入される端子用穴部５２ｂとが逆であってもよい。つまり、図１８に示す第１実施形態の第２変形例のように、電源配線９４を、端子用穴部５２ｂをＺ１側からＺ２側に通過するようにＺ２側に延びるように配置するとともに、電源配線９４の配線材９４ａを折り曲げて、配線穴部５２ｃにＺ２側からＺ１側に挿入するように構成してもよい。
【００９２】
また、上記第１実施形態では、電源配線９４を、配線穴部５２ｃを通過するように配置した例を示したが、本発明はこれに限られない。本発明では、電源配線９４を、配線穴部５２ｃではなく配線穴部５２ｄを通過するように配置してもよい。また、電源配線９４の折り曲げ部１９４ａが開口縁部Ａと端子部材５３の頭部５３ｂの平面部１５３ｂとに挟持されていれば、配線穴部５２ｃおよび５２ｄに電源配線９４を挿入しなくてもよい。
【００９３】
また、上記第１実施形態では、電源配線９４の配線材９４ａと端子部材５３のネジ溝１５３ａとが接触するとともに、電源配線９４の配線材９４ａと端子部材５３の平面部１５３ｂとが接触する例を示したが、本発明はこれに限られない。本発明では、電源配線９４の配線材９４ａと端子部材５３のネジ溝１５３ａとの接触と、電源配線９４の配線材９４ａと端子部材５３の平面部１５３ｂとの接触とのうち、いずれか一方のみの接触を図るように構成してもよい。
【００９４】
また、上記第１実施形態では、配線穴部５２ｃおよび５２ｄ（配線通過穴部）をそれぞれ一対形成した例を示したが、本発明はこれに限られない。たとえば、配線通過穴部は１つでもよい。つまり、本発明では、配線通過穴部は４つに限られない。
【００９５】
また、上記第１実施形態では、配線穴部５２ｃ（配線通過穴部）を直径方向よりも円周方向に長い長円形状に形成するとともに、配線穴部５２ｄ（配線通過穴部）を配線穴部５２ｃよりも円周方向の長さが小さい長円形状に形成した例を示したが、本発明はこれに限られない。本発明では、配線通過穴部の形状を同一の長円形状にしてもよい。また、配線通過穴部の形状は、円形状や長方形形状などの長円形状以外の形状であってもよい。
【００９６】
また、上記第２実施形態では、配線収納部３５３ｃを端子部材３５３の軸部３５３ａを貫通するように形成した例を示したが、本発明はこれに限られない。本発明では、配線収納部を端子部材の軸部を貫通しないように形成してもよい。これによっても、電源配線を端子部材に係止させた状態で、電源配線と端子部材との電気的な接続を図ることが可能である。
【００９７】
また、上記第２実施形態では、電源配線９４を、端子部材３５３の軸部３５３ａが端子用穴部３５２ｂに挿入された状態で、配線収納部３５３ｃを通過するように配置した例を示したが、本発明はこれに限られない。本発明では、電源配線の先端部を配線収納部の内部に配置することによって、電源配線が配線収納部を通過しないようにしてもよい。
【００９８】
また、上記第２実施形態では、配線収納部３５３ｃのＸ２側の開口部６５３ｃから引き出された配線材９４ａを、Ｚ２側に延びるように約９０度折り曲げた例を示したが、本発明はこれに限られない。たとえば、配線収納部３５３ｃのＸ２側の開口部６５３ｃから引き出された配線材９４ａをＺ１側に延びるように約９０度折り曲げてもよいし、端子部材３５３の外周に沿うように折り曲げてもよい。
【００９９】
また、上記第２実施形態では、端子用穴部３５２ｂのＸ１側の角部４５２ｂに収容された電源配線９４の配線材９４ａと端子部材３５３のネジ溝４５３ａとを接触させ、端子用穴部３５２ｂのＸ２側の角部４５２ｂに収容された配線材９４ａと端子部材３５３のネジ溝４５３ａとを接触させた例を示したが、本発明はこれに限られない。本発明では、上記電気的接続のうち、いずれか１方のみの接触を図るように構成すればよい。
【０１００】
また、上記第２実施形態では、端子用穴部３５２ｂを略正八角形形状に形成するとともに、端子用穴部３５２ｂの内面に形成された角部４５２ｂに電源配線９４を収容した例を示したが、本発明はこれに限られない。たとえば、端子用穴部を円形状に形成するとともに、端子用穴部の内面に、電源配線を収容するための溝状の凹部を複数形成してもよい。この場合、端子用穴部の内面が複数の凸部になる。また、円形状の端子用穴部の内面に複数の凸部を形成することによって、複数の凸部の間の複数の円弧状の底部を複数の凹部としてもよい。
【０１０１】
また、上記第２実施形態では、配線収納部３５３ｃを軸部３５３ａの延びるＺ方向と略直交するＸ方向に延びるように形成した例を示したが、本発明はこれに限られない。本発明では、配線収納部が延びる方向は、軸部の延びる方向と交差する方向であれば直交する方向でなくてもよい。なお、配線収納部を、軸部の延びる方向に対して直交する方向以外の交差する方向に延びるように形成することによって、軸部の延びる方向と直交する方向に延びるように形成する場合よりも、配線収納部の長さを大きくすることが可能である。これにより、より確実に、配線と配線収納部の内面とを接触させることが可能である。
【符号の説明】
【０１０２】
５、３０５  ソケット接続部
６ａ  ＬＥＤ素子（発光素子）
５０、３５０、７５０  端子固定部
５２ａ、３５２ａ  嵌合部
５２ｂ、３５２ｂ、７５０ｂ  端子用穴部
５２ｃ、５２ｄ  配線穴部（配線通過穴部）
５３、３５３  端子部材
５３ａ、３５３ａ  軸部
５３ｂ、３５３ｂ  頭部
９４  電源配線（配線）
１００、３００  ＬＥＤ電球（照明装置）
１５２ｂ  溝部（凹部、配線配置部）
１５３ａ、４５３ａ  ネジ溝（抜け止め部）
１９４ａ  折り曲げ部
２５２ｂ、５５２ｂ、８５２ｂ  辺部（凸部）
２５３ｂ、５５３ｂ  外周部
３５３ｃ  配線収納部
４５２ｂ、９５２ｂ  角部（凹部、配線配置部）
４５３ｃ  開口部（一方開口）
５５３ｃ  内面
６５３ｃ  開口部（他方開口）
Ａ  開口縁部
【図１】
2014007146.tif 000003
【図２】
2014007146.tif 000004
【図３】
2014007146.tif 000005
【図４】
2014007146.tif 000006
【図５】
2014007146.tif 000007
【図６】
2014007146.tif 000008
【図７】
2014007146.tif 000009
【図８】
2014007146.tif 000010
【図９】
2014007146.tif 000011
【図１０】
2014007146.tif 000012
【図１１】
2014007146.tif 000013
【図１２】
2014007146.tif 000014
【図１３】
2014007146.tif 000015
【図１４】
2014007146.tif 000016
【図１５】
2014007146.tif 000017
【図１６】
2014007146.tif 000018
【図１７】
2014007146.tif 000019
【図１８】
2014007146.tif 000020